(57)【要約】【課題】部品点数を少なくして安価にすることのできる枠を提供する。【解決手段】第１平板部と、第１平板部の両端に同方向へ連設された第１、第２側板部とを有し、第１、第２側板部の長さ方向の一方の端部内側に第１、第２係止部が設けられた第１枠体４１と、第２平板部と、前記第２平板部の両端に同方向へ連設された第３、第４側板部とを有し、第３、第４側板部の長さ方向の他方の端部内側に第３、第４係止部が設けられた第２枠体４１と、第１〜第４係止部に係合する係合部を有し、第１枠体４１と第２枠体４２とを接続するコーナーピース５１とを備えた枠３１である。【選択図】図１
2014171921.tif 000002
【特許請求の範囲】
【請求項１】
第１平板部と、前記第１平板部の両端に同方向へ連設された第１、第２側板部とを有し、前記第１、第２側板部の長さ方向の一方の端部内側に第１、第２係止部が設けられた第１枠体と、
第２平板部と、前記第２平板部の両端に同方向へ連設された第３、第４側板部とを有し、前記第３、第４側板部の長さ方向の他方の端部内側に第３、第４係止部が設けられた第２枠体とを接続するコーナーピースであって、
前記第１枠体内へ一部分が挿入される第１挿入平板部と、
前記第１挿入平板部に交差させて連設され、前記第２枠体内へ一部分が挿入される第２挿入平板部と、
前記第１挿入平板部の両側部と前記第２挿入平板部の両側部とを接続し、一部分が前記第１枠体内へ挿入されるとともに、他の一部分が前記第２枠体内へ挿入される第１、第２挿入側板部とからなり、
前記第１挿入側板部に、前記第１係止部に係合する第１係合部と、前記第３係止部に係合する第３係合部とが設けられ、
前記第２挿入側板部に、前記第２係止部に係合する第２係合部と、前記第４係止部に係合する第４係合部とが設けられている、
ことを特徴とするコーナーピース。
【請求項２】
請求項１に記載のコーナーピースであって、
前記第１挿入側板部の前記第１挿入平板部側に、前記第１係止部を案内する第１案内溝が設けられるとともに、前記第１挿入側板部の前記第２挿入側板部側に、前記第３係止部を案内する第３案内溝が設けられ、
前記第２挿入側板部の前記第１挿入平板部側に、前記第２係止部を案内する第２案内溝が設けられるとともに、前記第２挿入側板部の前記第２挿入側板部側に、前記第４係止部を案内する第４案内溝が設けられている、
ことを特徴とするコーナーピース。
【請求項３】
請求項１または請求項２に記載のコーナーピースであって、
前記第１挿入側板部の外側から前記第１挿入平板部の外側を経由して前記第２挿入側板部の外側に至り、前記第２挿入平板部から所定距離をおいた位置より前記第２挿入平板部から離れる方向へ向かう第１凹部が前記第１挿入側板部、前記第１挿入平板部、前記第２挿入側板部に設けられ、
前記第１挿入側板部の外側から前記第２挿入平板部の外側を経由して前記第２挿入側板部の外側に至り、前記第１挿入平板部から所定距離をおいた位置より前記第１挿入平板部から離れる方向へ向かう第２凹部が前記第１挿入側板部、前記第２挿入平板部、前記第２挿入側板部に設けられている、
ことを特徴とするコーナーピース。
【請求項４】
請求項３に記載のコーナーピースであって、
前記第１凹部の深さは、前記第１挿入平板部、前記第１挿入側板部、前記第２挿入側板部の厚さとされ、
前記第２凹部の深さは、前記第２挿入平板部、前記第１挿入側板部、前記第２挿入側板部の厚さとされている、
ことを特徴とするコーナーピース。
【請求項５】
請求項１から請求項４のいずれか１項に記載のコーナーピースであって、
前記第１側板部の、前記第１係止部よりも前記第１側板部の一方の端部から離れた内側に、第１案内部が設けられ、
前記第２側板部の、前記第２係止部よりも前記第２側板部の一方の端部から離れた内側に、第３案内部が設けられ、
前記第３側板部の、前記第３係止部よりも前記第３側板部の他方の端部から離れた内側に、第３案内部が設けられ、
前記第４側板部の、前記第４係止部よりも前記第４側板部の他方の端部から離れた内側に、第４案内部が設けられ、
前記第１挿入側板部の前記第１挿入平板部側に、前記第１係合部を前記第１係止部に係合させるように前記第１案内部で案内される第１被案内部が設けられ、
前記第１挿入側板部の前記第２挿入平板部側に、前記第３係合部を前記第３係止部に係合させるように前記第３案内部で案内される第３被案内部が設けられ、
前記第２挿入側板部の前記第１挿入平板部側に、前記第２係合部を前記第２係止部に係合させるように前記第２案内部で案内される第２被案内部が設けられ、
前記第２挿入側板部の前記第２挿入平板部側に、前記第４係合部を前記第４係止部に係合させるように前記第４案内部で案内される第４被案内部が設けられている、
ことを特徴とするコーナーピース。
【請求項６】
請求項１から請求項５のいずれか１項に記載のコーナーピースであって、
前記第１挿入平板部の前記第１、第２係合部に対応する位置より、前記第２挿入平板部から離れる方向へ開放した第１切り欠き部が前記第１挿入平板部に設けられ、
前記第２挿入平板部の前記第３、第４係合部に対応する位置より、前記第１挿入平板部から離れる方向へ開放した第２切り欠き部が前記第２挿入平板部に設けられている、
ことを特徴とするコーナーピース。
【請求項７】
請求項１から請求項６のいずれか１項に記載のコーナーピースであって、
前記第１挿入側板部と前記第２挿入側板部との間隔を調整可能に構成されている、
ことを特徴とするコーナーピース。
【請求項８】
請求項１から請求項５のいずれか１項に記載のコーナーピースであって、
前記第２挿入側板部の前記第３、第４係合部に対応する位置より、前記第１挿入側板部から離れる方向へ開放した切り欠き部が前記第２挿入側板部に設けられている、
ことを特徴とするコーナーピース。
【請求項９】
請求項１から請求項７のいずれか１項に記載のコーナーピースであって、
前記第１挿入平板部と前記第２挿入平板部との交点を通り、前記第１挿入平板部と前記第２挿入平板部とのなす角を２等分する直線に対して対称に構成されている、
ことを特徴とするコーナーピース。
【請求項１０】
第１挿入平板部と、
前記第１挿入平板部に交差させて連設された第２挿入平板部と、
前記第１挿入平板部の両側部と前記第２挿入平板部の両側部とを接続する第１、第２挿入側板部とからなり、
前記第１挿入側板部の前記第１挿入平板部側に第１係合部が設けられるとともに、前記第１挿入側板部の前記第２挿入平板部側に第３係合部が設けられ、
前記第２挿入側板部の前記第１挿入平板部側に第２係合部が設けられるとともに、前記第２挿入側板部の前記第２挿入平板部側に第４係合部が設けられている、
ことを特徴とするコーナーピース。
【請求項１１】
第１平板部と、前記第１平板部の両端に同方向へ連設された第１、第２側板部とを有し、前記第１、第２側板部の長さ方向の一方の端部内側に第１、第２係止部が設けられた第１枠体と、
第２平板部と、前記第２平板部の両端に同方向へ連設された第３、第４側板部とを有し、前記第３、第４側板部の長さ方向の他方の端部内側に第３、第４係止部が設けられた第２枠体と、
請求項１から請求項１０のいずれか１項に記載のコーナーピースとを備えている、
ことを特徴とする枠。
【発明の詳細な説明】
【技術分野】
【０００１】
この発明は、例えば、エアーフィルタなどの枠、この枠を構成するコーナーピースに関するものである。
【背景技術】
【０００２】
上記した枠として、リベットやビスなどを使用せずに嵌め込み式によって組み立てることのできる枠を使用したエアーフィルタ（例えば、特許文献１参照）が提案されている。
【０００３】
上記した特許文献１に記載されているエアーフィルタは、フィルタを挿脱可能な凹部（溝）を有する枠体を、コーナーピースで接続する構成とされている。
【０００４】
さらに、フィルタを交換可能にするため、係止部を備えた接続ピースをも使用している。
【先行技術文献】
【特許文献】
【０００５】
【特許文献１】特許第４６６４１８８号明細書
【発明の概要】
【発明が解決しようとする課題】
【０００６】
上記した特許文献１に記載されているエアーフィルタは、フィルタを交換可能にするため、係止部を備えた接続ピースを使用しているので、構造が複雑になるとともに、部品点数が多くなる。
【０００７】
また、フィルタの厚みの違いに対応させた構成となっていないので、フィルタの厚み毎に枠体、コーナーピース等を製作する必要があるため、金型の製作費等が嵩み、コストアップになる。
【０００８】
この発明は、上記した不都合を解消するためになされたもので、部品点数を少なくして安価にすることのできるコーナーピースおよび枠を提供するものである。
【課題を解決するための手段】
【０００９】
請求項１に記載のコーナーピースは、第１平板部と、前記第１平板部の両端に同方向へ連設された第１、第２側板部とを有し、前記第１、第２側板部の長さ方向の一方の端部内側に第１、第２係止部が設けられた第１枠体と、第２平板部と、前記第２平板部の両端に同方向へ連設された第３、第４側板部とを有し、前記第３、第４側板部の長さ方向の他方の端部内側に第３、第４係止部が設けられた第２枠体とを接続するコーナーピースであって、前記第１枠体内へ一部分が挿入される第１挿入平板部と、前記第１挿入平板部に交差させて連設され、前記第２枠体内へ一部分が挿入される第２挿入平板部と、前記第１挿入平板部の両側部と前記第２挿入平板部の両側部とを接続し、一部分が前記第１枠体内へ挿入されるとともに、他の一部分が前記第２枠体内へ挿入される第１、第２挿入側板部とからなり、前記第１挿入側板部に、前記第１係止部に係合する第１係合部と、前記第３係止部に係合する第３係合部とが設けられ、前記第２挿入側板部に、前記第２係止部に係合する第２係合部と、前記第４係止部に係合する第４係合部とが設けられていることを特徴とする。
【００１０】
請求項２に記載のコーナーピースは、請求項１に記載のコーナーピースであって、前記第１挿入側板部の前記第１挿入平板部側に、前記第１係止部を案内する第１案内溝が設けられるとともに、前記第１挿入側板部の前記第２挿入側板部側に、前記第３係止部を案内する第３案内溝が設けられ、前記第２挿入側板部の前記第１挿入平板部側に、前記第２係止部を案内する第２案内溝が設けられるとともに、前記第２挿入側板部の前記第２挿入側板部側に、前記第４係止部を案内する第４案内溝が設けられていることを特徴とする。
【００１１】
請求項３に記載のコーナーピースは、請求項１または請求項２に記載のコーナーピースであって、前記第１挿入側板部の外側から前記第１挿入平板部の外側を経由して前記第２挿入側板部の外側に至り、前記第２挿入平板部から所定距離をおいた位置より前記第２挿入平板部から離れる方向へ向かう第１凹部が前記第１挿入側板部、前記第１挿入平板部、前記第２挿入側板部に設けられ、前記第１挿入側板部の外側から前記第２挿入平板部の外側を経由して前記第２挿入側板部の外側に至り、前記第１挿入平板部から所定距離をおいた位置より前記第１挿入平板部から離れる方向へ向かう第２凹部が前記第１挿入側板部、前記第２挿入平板部、前記第２挿入側板部に設けられていることを特徴とする。
【００１２】
請求項４に記載のコーナーピースは、請求項３に記載のコーナーピースであって、前記第１凹部の深さは、前記第１挿入平板部、前記第１挿入側板部、前記第２挿入側板部の厚さとされ、前記第２凹部の深さは、前記第２挿入平板部、前記第１挿入側板部、前記第２挿入側板部の厚さとされていることを特徴とする。
【００１３】
請求項５に記載のコーナーピースは、請求項１から請求項４のいずれか１項に記載のコーナーピースであって、前記第１側板部の、前記第１係止部よりも前記第１側板部の一方の端部から離れた内側に、第１案内部が設けられ、前記第２側板部の、前記第２係止部よりも前記第２側板部の一方の端部から離れた内側に、第３案内部が設けられ、前記第３側板部の、前記第３係止部よりも前記第３側板部の他方の端部から離れた内側に、第３案内部が設けられ、前記第４側板部の、前記第４係止部よりも前記第４側板部の他方の端部から離れた内側に、第４案内部が設けられ、前記第１挿入側板部の前記第１挿入平板部側に、前記第１係合部を前記第１係止部に係合させるように前記第１案内部で案内される第１被案内部が設けられ、前記第１挿入側板部の前記第２挿入平板部側に、前記第３係合部を前記第３係止部に係合させるように前記第３案内部で案内される第３被案内部が設けられ、前記第２挿入側板部の前記第１挿入平板部側に、前記第２係合部を前記第２係止部に係合させるように前記第２案内部で案内される第２被案内部が設けられ、前記第２挿入側板部の前記第２挿入平板部側に、前記第４係合部を前記第４係止部に係合させるように前記第４案内部で案内される第４被案内部が設けられていることを特徴とする。
【００１４】
請求項６に記載のコーナーピースは、請求項１から請求項５のいずれか１項に記載のコーナーピースであって、前記第１挿入平板部の前記第１、第２係合部に対応する位置より、前記第２挿入平板部から離れる方向へ開放した第１切り欠き部が前記第１挿入平板部に設けられ、前記第２挿入平板部の前記第３、第４係合部に対応する位置より、前記第１挿入平板部から離れる方向へ開放した第２切り欠き部が前記第２挿入平板部に設けられていることを特徴とする。
【００１５】
請求項７に記載のコーナーピースは、請求項１から請求項６のいずれか１項に記載のコーナーピースであって、前記第１挿入側板部と前記第２挿入側板部との間隔を調整可能に構成されていることを特徴とする。
【００１６】
請求項８に記載のコーナーピースは、請求項１から請求項５のいずれか１項に記載のコーナーピースであって、前記第２挿入側板部の前記第３、第４係合部に対応する位置より、前記第１挿入側板部から離れる方向へ開放した切り欠き部が前記第２挿入側板部に設けられていることを特徴とする。
【００１７】
請求項９に記載のコーナーピースは、請求項１から請求項７のいずれか１項に記載のコーナーピースであって、前記第１挿入平板部と前記第２挿入平板部との交点を通り、前記第１挿入平板部と前記第２挿入平板部とのなす角を２等分する直線に対して対称に構成されていることを特徴とする。
【００１８】
請求項１０に記載のコーナーピースは、第１挿入平板部と、前記第１挿入平板部に交差させて連設された第２挿入平板部と、前記第１挿入平板部の両側部と前記第２挿入平板部の両側部とを接続する第１、第２挿入側板部とからなり、前記第１挿入側板部の前記第１挿入平板部側に第１係合部が設けられるとともに、前記第１挿入側板部の前記第２挿入平板部側に第３係合部が設けられ、前記第２挿入側板部の前記第１挿入平板部側に第２係合部が設けられるとともに、前記第２挿入側板部の前記第２挿入平板部側に第４係合部が設けられていることを特徴とする。
【００１９】
請求項１１に記載の枠は、第１平板部と、前記第１平板部の両端に同方向へ連設された第１、第２側板部とを有し、前記第１、第２側板部の長さ方向の一方の端部内側に第１、第２係止部が設けられた第１枠体と、第２平板部と、前記第２平板部の両端に同方向へ連設された第３、第４側板部とを有し、前記第３、第４側板部の長さ方向の他方の端部内側に第３、第４係止部が設けられた第２枠体と、請求項１から請求項１０のいずれか１項に記載のコーナーピースとを備えていることを特徴とする。
【発明の効果】
【００２０】
この発明のコーナーピースおよび枠によれば、部品点数を少なくして安価にすることができる。
【図面の簡単な説明】
【００２１】
【図１】（ａ）はこの発明の第１実施例であるエアーフィルタの一部を破断した正面図、（ｂ）は図１（ａ）を上側から見た図（平面図）である。
【図２】（ａ）は図１に示したエアーフィルタで用いた枠体の右端（一端）側部分を示す正面図、（ｂ）は図２（ａ）を下側から見た図（底面図）、（ｃ）は図２（ｂ）を右側から見た側面図である。
【図３】（ａ）は図１に示したエアーフィルタで用いたコーナーピースの正面図、（ｂ）は図３（ａ）を上側から見た図（平面図）、（ｃ）は図３（ａ）を右側から見た側面図である。
【図４】図３に示したコーナーピースの斜視図である。
【図５】（ａ）は図１の部分Ａの一部を示す説明図、（ｂ）は図５（ａ）を下側から説明図である。
【図６】挿入側板部の弾性変形状態を示す説明図である。
【図７】枠体に設けられている係止部等の作用を示す説明図である。
【図８】この発明の第２実施例であるエアーフィルタで用いるコーナーピースの斜視図である。
【図９】（ａ）はこの発明の第３実施例であるエアーフィルタで用いるコーナーピースの分解斜視図、（ｂ）は図９（ａ）の部材を裏返した状態の部分斜視図、（ｃ）は図９（ａ）の部材を組み立ててコーナーピースとした状態の斜視図、（ｄ）は図９（ｃ）のコーナーピースを裏返した状態の部分斜視図である。
【図１０】（ａ）はこの発明の第４実施例であるエアーフィルタで用いるコーナーピースの分解斜視図、（ｂ）は図１０（ａ）の部材を組み立ててコーナーピースとした状態の斜視図である。
【図１１】この発明の第５実施例であるエアーフィルタの一部を破断した正面図である。
【図１２】図１１に示したエアーフィルタで用いたコーナーピースの斜視図である。
【図１３】この発明の第６実施例であるエアーフィルタで用いるコーナーピースの斜視図である。
【発明を実施するための形態】
【００２２】
以下、この発明の実施例を、図面を参照して説明する。
【００２３】
図１（ａ）はこの発明の第１実施例であるエアーフィルタの一部を破断した正面図、（ｂ）は図１（ａ）を上側から見た図（平面図）、図２（ａ）は図１に示したエアーフィルタで用いた枠体の右端（一端）側部分を示す正面図、図２（ｂ）は図２（ａ）を下側から見た図（底面図）、図２（ｃ）は図２（ｂ）を右側から見た側面図、図３（ａ）は図１に示したエアーフィルタで用いたコーナーピースの正面図、図３（ｂ）は図３（ａ）を上側から見た図（平面図）、図３（ｃ）は図３（ａ）を右側から見た側面図、図４は図３に示したコーナーピースの斜視図、図５（ａ）は図１の部分Ａの一部を示す説明図、図５（ｂ）は図５（ａ）を下側から説明図、図６は挿入側板部の弾性変形状態を示す説明図、図７は枠体に設けられている係止部等の作用を示す説明図である。
【００２４】
なお、図１（ａ）、（ｂ）において、コーナーピースの部分にはハッチングが施されている。
【００２５】
この発明の第１実施例であるエアーフィルタ１１は、図１に示すように、フィルタ２１と、フィルタ２１を収容する枠３１とで構成されている。
【００２６】
フィルタ２１は、図７に示すように、一枚のろ材を所定の幅（高さ）でジグザグ折り曲げ、例えば、正面視正方形で、奥行きが前記所定の幅（高さ）に形成されている。
【００２７】
枠３１は、図１に示すように、上下左右に位置する枠体４１と、枠体４１を連結するコーナーピース５１とで構成されている。
【００２８】
枠体４１は、強度を確保するために金属製とされ、図２に示すように、平板部４２と、平板部４２の両端に同方向へ平行に折り曲げて連設された第１、第２側板部４３Ａ，４３Ｂとを有し、第１側板部４３Ａの長さ方向の一端（右端）部内側に第１係止部４４Ａが設けられ、第２側板部４３Ｂの長さ方向の一端（右端）部内側に第２係止部４４Ｂが設けられ、第１側板部４３Ａの長さ方向の他端（左端）部内側に、図１に示すように、第１係止部４４Ａと同様な第３係止部４４Ｃが設けられ、第２側板部４３Ｂの長さ方向の他端（左端）部内側に、第２係止部４４Ｂと同様な第４係止部４４Ｄ（図示省略）設けられている。
【００２９】
各係止部４４Ａ〜４４Ｄの設けられている位置は、各側板部４３Ａ，４３Ｂの端から同じ距離で、平板部４２から同じ距離である。
【００３０】
そして、各係止部４４Ａ〜４４Ｄは、プレス加工により、各側板部４３Ａ，４３Ｂの端側から反対側へ拡開する正面視三角形（平板部４２と直交する高さ方向が底辺となる二等辺三角形）で、各側板部４３Ａ，４３Ｂの端側から反対側へ徐々に内側へ突出する形状（三角形状の突起）に形成されている。
【００３１】
第１側板部４３Ａには、図１、図２に示すように、第１案内部４５Ａおよび第３案内部４５Ｃが設けられ、第２側板部には、第２案内部４５Ｂおよび第４案内部４５Ｄ（図示省略）が設けられている。
【００３２】
各案内部４５Ａ〜４５Ｄの設けられている位置は、各係止部４４Ａ〜４４Ｄよりも各側板部４３Ａ，４３Ｂの端から遠い位置である。
【００３３】
そして、各案内部４５Ａ〜４５Ｄは、プレス加工により、平板部４２から遠い端側より平板部４２側へ近づくにしたがって内側へ徐々に突出する切り起こし片として設けられている。
【００３４】
各案内部４５Ａ〜４５Ｄの平板部４２の位置（上端位置）は、各係止部４４Ａ〜４４Ｄの上端位置と同じにされている。
【００３５】
枠体４１は、左右対称、前後対称に構成され、第１枠体、第２枠体とされている。
【００３６】
コーナーピース５１は、弾性変形可能に合成樹脂製とされ、図３、図４に示すように、枠体４１内へ左側の一部分が挿入される第１挿入平板部５２Ａと、第１挿入平板部５２Ａに直交させて連設され、枠体４１内へ右側の一部分が挿入される第２挿入平板部５２Ｂと、第１挿入平板部５２Ａの両側部と第２挿入平板部５２Ｂの両側部とを接続し、右側の一部分が枠体４１内へ挿入されるとともに、左側の一部分が枠体４１内へ挿入される第１、第２挿入側板部５３Ａ，５３Ｂとで構成されている。
【００３７】
なお、第１挿入平板部５２Ａと第２挿入平板部５２Ｂとの長さ、幅、肉厚は同じとされ、第１挿入側板部５３Ａと第２挿入側板部５３ＢＡとは同一の略三角形状で、同じ肉厚とされている。
【００３８】
そして、コーナーピース５１には、第１挿入側板部５３Ａの前外側から第１挿入平板部５２Ａの外側を経由して第２挿入側板部５３Ｂの後外側に至り、第２挿入平板部５２Ｂから所定距離をおいた位置より第２挿入平板部５２Ｂから離れる方向へ、枠体４１（平板部４２、第１側板部４３Ａ、第２側板部４３Ｂ）の厚さ（肉厚）に対応した深さの第１凹部５４Ａが設けられ、第１挿入側板部５３Ａの前外側から第２挿入平板部５２Ｂの外側を経由して第２挿入側板部５３Ｂの後外側に至り、第１挿入平板部５２Ａから所定距離をおいた位置より第１挿入平板５２Ａ部から離れる方向へ、枠体４１（平板部４２、第１側板部４３Ａ、第２側板部４３Ｂ）の厚さ（肉厚）に対応した深さの第２凹部５４Ｂが設けられている。
【００３９】
なお、第１凹部５４Ａと第２凹部５４Ｂとの形状は、同じに形成されている。
【００４０】
第１挿入平板部５２Ａには、第１凹部５４Ａの端より第２挿入平板部５２Ｂから離れる方向へ所定距離離れた位置より、第２挿入平板部５２Ｂから離れる方向へ開放した第１切り欠き部５５Ａが、第１挿入平板部５２Ａ、第１挿入側板部５３Ａおよび第２挿入側板部５３Ｂが弾性変形できるように設けられ、第２挿入平板部５２Ｂには、第２凹部５４Ｂの端より第１挿入平板部５２Ａから離れる方向へ所定距離離れた位置より、第１挿入平板部５２Ａから離れる方向へ開放した第２切り欠き部５５Ｂが、第２挿入平板部５２Ｂ、第１挿入側板部５３Ａおよび第２挿入側板部５３Ｂが弾性変形できるように設けられている。
【００４１】
そして、第１挿入側板部５３Ａには、第１挿入平板部５２Ａの端に、第１凹部５４Ａの端より第２挿入平板部５２Ｂから離れる方向へ、後述する第１係合部５８Ａを枠体４１の第１係止部４４Ａに係合させるように第１案内部４５Ａで案内される第１被案内部（リブ）５６Ａを形成するように、第１案内溝５７Ａが設けられるとともに、第２挿入平板部５２Ｂの端に、第２凹部５４Ｂの端より第１挿入平板部５２Ａから離れる方向へ、後述する第３係合部５８Ｃを枠体４１の第３係止部４４Ｃに係合させるように第３案内部４５Ｃで案内される第３被案内部（リブ）５６Ｃを形成するように、第３案内溝５７Ｃが設けられている。
【００４２】
第２挿入側板部５３Ｂには、第１挿入平板部５２Ａの端に、第１凹部５４Ａの端より第２挿入平板部５２Ｂから離れる方向へ、後述する第２係合部５８Ｂを枠体４１の第２係止部４４Ｂに係合させるように第２案内部４５Ｂで案内される第２被案内部（リブ）５６Ｂを形成するように、第１案内溝５７Ａと同様な第２案内溝５７Ｂ（図示省略）が設けられるとともに、第２挿入平板部５２Ｂの端に、第２凹部５４Ｂの端より第１挿入平板部５２Ａから離れる方向へ、後述する第４係合部５８Ｄを枠体４１の第４係止部４４Ｄに係合させるように第４案内部４５Ｄで案内される第４被案内部（リブ）５６Ｄを形成するように、第２案内溝５７Ｂと同様な第４案内溝５７Ｄ（図示省略）が設けられている。
【００４３】
第１案内溝５７Ａには、枠体４１の第１係止部４４Ａに係合する第１係合部５８Ａが設けられている。
【００４４】
第２案内溝５７Ｂには、枠体４１の第２係止部４４Ｂに係合する、第１係合部５８Ａと同様な第２係合部５８Ｂ（図示省略）が設けられている。
【００４５】
第３案内溝５７Ｃには、枠体４１の第３係止部４４Ｃに係合する第３係合部５８Ｃが設けられている。
【００４６】
第４案内溝５７Ｄには、枠体４１の第４係止部４４Ｄに係合する、第３係合部５８Ｃと同様な第４係合部５８Ｄが設けられている。
【００４７】
各係合部５８Ａ〜５８Ｄの設けられている位置は、各側板部４３Ａ，４３Ｂの端から同じ距離で、平板部４２から同じ距離である。
【００４８】
そして、各係合部５８Ａ〜５８Ｄは枠体４１の各係止部４４Ａ〜４４ｄに対応した三角形の孔とされ、各係合部５８Ａ〜５８Ｄ（二等辺三角形の孔）の上端（二等辺三角形の底辺の上端）は、各案内溝５７Ａ〜５７Ｄの各平板部５２Ａ，５２Ｂ側の端に位置している、すなわち、各被案内部５６Ａ〜５６Ｄに接する位置に位置している。
【００４９】
コーナーピース５１は、図３（ａ）に示すように、第１挿入平板部５２Ａと第２挿入平板部５２Ｂとの交点を通り、第１挿入平板部５２Ａと第２挿入平板部５２Ｂとのなす角（直角）を２等分する直線Ｌに対して対称に構成され、図３（ｂ）に示すように、直線Ｍに対して対称に構成されている。
【００５０】
次に、エアーフィルタ１１の組立方の一例について説明する。
【００５１】
まず、枠体４１の一方の端に、コーナーピース５１の一方（第１挿入平板部５２Ａ側）を挿入すると、第１、第２被案内部５６Ａ，５６Ｂが第１、第２係止部４４Ａ，４４Ｂおよび第１、第２案内部４５Ａ，４５Ｂで案内され、第１、第２係止部４４Ａ，４４Ｂが第１、第２案内溝５７Ａ，５７Ｂで案内されることにより、コーナーピース５１の第１挿入平板部５２Ａ側を枠体４１の一方の端に挿入することができる。
【００５２】
このように、コーナーピース５１の第１挿入平板部５２Ａ側を枠体４１の一方の端に挿入すると、第１、第２係止部４４Ａ，４４Ｂが第１挿入側板部５３Ａおよび第２挿入側板部５３Ｂを押して弾性変形させることにより、第１挿入側板部５３Ａおよび第２挿入側板部５３Ｂを乗り越え、第１、第２係合部５８Ａ，５８Ｂに係合し、枠体４１に対してコーナーピース５１を取り付ける（接続する）ことができる（図５参照）。
【００５３】
このように、枠体４１の一方の端にコーナーピース５１を接続すると、図５に示すように、枠体４１が第１凹部５４Ａ内に収まることにより、枠体４１の外周面とコーナーピース５１の外周面とがそれぞれ同一面を構成して枠体４１（コーナーピース５１）の外周面からコーナーピース５１（枠体４１）の外周面が突出せず、枠体４１の端が第１凹部５４Ａの端に当接することにより、枠体４１とコーナーピース５１との間に隙間が発生しなくなる。
【００５４】
また、枠体４１とコーナーピース５１とは、第１、第２係止部４４Ａ，４４Ｂに第１、第２係合部５８Ａ，５８Ｂが係合するとともに、第１、第２案内部４５Ａ，４５Ｂが第１、第２被案内部５６Ａ，５６Ｂを支持することにより、がたつかなくなる。
【００５５】
上記のようにして枠体４１に取り付けたコーナーピース５１の他方側に、別の枠体４１の他方を同様に取り付けた後、この枠体４１の一方の端に、別のコーナーピース５１の一方側を取り付ける。
【００５６】
そして、別のコーナーピース５１の他方側にさらに別の枠体４１の他方の端を接続することにより、上方が開放し、内側に収容溝を有するＵ字枠とすることができる。
【００５７】
このＵ字枠の収容溝内にフィルタ２１を収容させた後、Ｕ字枠の開放した部分を枠体４１およびコーナーピース５１を用いて閉塞することにより、図１に示すエアーフィルタ１１とすることができる。
【００５８】
このようにして組み立てたエアーフィルタ１１は、コーナーピース５１の第１、第２挿入側壁５２Ａ，５２Ｂを互いが近づくように押圧すると、図６に示すように、第１、第２挿入側壁５２Ａ，５２Ｂが互いに近づくように弾性変形することにより、第１、第２係止部４４Ａ，４４Ｂと第１、第２係合部５８Ａ，５８Ｂとの係合が解除され、枠体４１からコーナーピース５１を取り外すことができる。
【００５９】
したがって、１つの枠体４１の両側に位置するコーナーピース５１を、このコーナーピース５１が取り付けられている枠体４１から取り外すことにより、Ｕ字枠としてエアーフィルタ１１を交換することができる。
【００６０】
上記のようにして組み立てたエアーフィルタ１１は、図７において矢印で示すように、下方向から上方向へエアー（空気）が流れるが、枠体４１の第１、第２係止部４４Ａ，４４Ｂおよびコーナーピース５１の第１、第２係合部（孔）５８Ａ，５８Ｂがエアーの流れに直交して設けられていることにより、第１、第２係止部４４Ａ，４４Ｂおよび第１、第２係合部５８Ａ，５８Ｂを通過するエアーもフィルタ２１で濾過されるため、エアーの濾過ミスを最小限に抑えることができる。
【００６１】
この発明の第１実施例によれば、枠体４１と、コーナーピース５１との２部品で枠３１を構成することができるので、枠３１を、部品点数を少なくして安価にすることができる。
【００６２】
また、枠体４１にコーナーピース５１を差し込むことで枠３１を構成できるので、枠３１の組立がワンタッチで簡単に行える。
【００６３】
また、コーナーピース５１に第１、第２挿入側板部５３Ａ，５３Ｂ、第１〜第４被案内部５６Ａ〜５６Ｄを設け、第１〜第４被案内部５６Ａ〜５６Ｄを、枠体４１の第１〜第４案内部４５Ａ〜４５Ｄに離れない方向（開かない方向）に係止（係合）するようにしたので、枠３１が菱形に歪むのを防止することができる。
【００６４】
また、コーナーピース５１に第１〜第４案内溝５７Ａ〜５７Ｄを設けたので、第１〜第４案内溝５７Ａ〜５７Ｄで第１〜第４係止部４４Ａ〜４４Ｄを案内して第１〜第４係合部５８Ａ〜５８Ｄに確実に係合させることができる。
【００６５】
また、コーナーピース５１に第１、第２凹部５４Ａ，５４Ｂを設けたので、枠体４１が第１凹部５４Ａ，５４Ｂ内に収まることにより、枠体４１の外周面からコーナーピース５１の外周面から枠体４１の外周面が突出しなくなるようにすることができる。
【００６６】
そして、第１、第２凹部５４Ａ，５４Ｂの深さを第１、第２挿入平板部５２Ａ，５２Ｂ、第１、第２挿入側板部５３Ａ，５３Ｂの厚さにしたので、枠体４１の外周面とコーナーピース５１の外周面とがそれぞれ同一面を構成し、出っ張りのない枠３１とすることができる。
【００６７】
また、枠体４１に第１〜第４案内部４５Ａ〜４５Ｄを設け、コーナーピース５１に第１〜第４被案内部５６Ａ〜５６Ｄを設けたので、第１〜第４案内溝５７Ａ〜５７Ｄで第１〜第４係止部４４Ａ〜４４Ｄを案内して第１〜第４係合部５８Ａ〜５８Ｄに確実に係合させることができるとともに、組み立てた枠３１ががたつくのを防止することができる。
【００６８】
また、第１挿入平板部５２Ａに第１切り欠き部５５Ａを設け、第２挿入平板部５２Ｂに第２切り欠き部５５Ｂを設けたので、第１、第２挿入側板部５２Ａ，５２Ｂを押圧して撓ませることにより、第１〜第４係止部４４Ａ〜４４Ｄと第１〜第４係合部５８Ａ〜５８Ｄとの係合を解除できるため、枠体４１に対するコーナーピース５１の取付、取り外しがワンタッチで簡単に行える。
【００６９】
また、第１挿入平板部５２Ａと第２挿入平板部５２Ｂとの交点を通り、第１挿入平板部５３Ａと第２挿入平板部５３Ｂとのなす角を２等分する直線Ｌに対して対称にコーナーピース５１を構成したので、コーナーピース５１に方向性がなくなることにより、枠３１の誤った組立を防止することができる。
【００７０】
図８はこの発明の第２実施例であるエアーフィルタで用いるコーナーピースの斜視図である。
【００７１】
なお、図８において、先の実施例と同一部分または相当部分に同一符号を付し、その説明を省略するが、先の実施例と同一部分または相当部分ではあるが、符号が付されていない部分がある。
【００７２】
図８に示すコーナーピース５１Ａは、先に示したコーナーピース５１を第１挿入側板部５３Ａと第２挿入側板部５３Ｂとの間の、第１挿入平板部５２Ａと第２挿入平板部５２Ｂの部分で分割して分割コーナーピース５１Ｘと、分割コーナーピース５１Ｙとにし、分割コーナーピース５１Ｘと分割コーナーピース５１Ｙとの間に間隔調整機構６１を設けたものである。
【００７３】
間隔調整機構６１は、分割コーナーピース５１Ｙの外側に、分割コーナーピース５１Ｘ側へ突出させて設けたチャンネル部材６２と、チャンネル部材６２の一方の片（上片、水平片）の分割コーナーピース５１Ｘと対向する面に設けられた、分割コーナーピース５１Ｘ側へ突出する第１係合ピン６３と、チャンネル部材６２の他方の片（垂直片）の分割コーナーピース５１Ｘと対向する面に、分割コーナーピース５１Ｘ側へ、第１係合ピン６３の位置に対応して突出する第２係合ピン６４と、分割コーナーピース５１Ｘの、チャンネル部材６２の一方の片（上片、水平片）と対向する面に、上面視分割コーナーピース５１Ｘから分割コーナーピース５１Ｙへ反転状態で向かうＥ字状の第１係合ピン６３を案内する案内溝６５と、案内溝６５の平行する３本の溝６５Ａ，６５Ｂ，６５Ｃに対応させて分割コーナーピース５１Ｘの、チャンネル部材６２の他方の片（垂直片）と対向する面に設けられた、第２係合ピン６４が挿脱されるロック溝６６Ａ，６６Ｂ，６６Ｃとで構成されている。
【００７４】
なお、３本の溝６５Ａ，６５Ｂ，６５Ｃには、第１係合ピン６３が抜けるのを阻止するロック部６５Ｄがそれぞれ設けられている。
【００７５】
このコーナーピース５１Ａは、分割コーナーピース５１Ｘに対して分割コーナーピース５１Ｙを矢印Ｐ方向へ移動させることにより、第１係合ピン６３を溝６５Ａから抜き出すとともに、第２係合ピン６４をロック溝６６Ａから抜き出し、分割コーナーピース５１Ｘに対して分割コーナーピース５１Ｙを矢印Ｑ方向へ移動させた後、分割コーナーピース５１Ｘに対して分割コーナーピース５１Ｙを反矢印Ｐ方向へ移動させることにより、例えば、第１係合ピン６３を溝６５Ｃに挿入してロックさせるとともに、第２係合ピン６４をロック溝６６Ｃに挿入させると、図８に一点鎖線で示すように、第１側板部５３Ａと、第２側板部５３Ｂとの間隔を調整する（拡げる）ことができる。
【００７６】
したがって、第１、第２係合ピン６３，６４の係合位置を変化させることにより、幅の異なるフィルタに対応することができる。
【００７７】
このコーナーピース５１Ａによれば、先の実施例のコーナーピース５１と同様な効果が得られる。
【００７８】
また、収容するフィルタの幅（奥行き）に合わせて、第１側板部５３Ａと、第２側板部５３Ｂとの間隔を調整することができるので、幅の異なるフィルタに対応することができ、汎用部品とすることができる。
【００７９】
図９（ａ）はこの発明の第３実施例であるエアーフィルタで用いるコーナーピースの分解斜視図、図９（ｂ）は図９（ａ）の部材を裏返した状態の部分斜視図、図９（ｃ）は図９（ａ）の部材を組み立ててコーナーピースとした状態の斜視図、図９（ｄ）は図９（ｃ）のコーナーピースを裏返した状態の部分斜視図である。
【００８０】
なお、図９において、先の実施例と同一部分または相当部分に同一符号を付し、その説明を省略するが、先の実施例と同一部分または相当部分ではあるが、符号が付されていない部分がある。
【００８１】
図９に示すコーナーピース５１Ｂは、先に示したコーナーピース５１を第１挿入側板部５３Ａと第２挿入側板部５３Ｂとの間の、第１挿入平板部５２Ａと第２挿入平板部５２Ｂの部分で分割して分割コーナーピース５１Ｘと、分割コーナーピース５１Ｙとにし、分割コーナーピース５１Ｘと分割コーナーピース５１Ｙとの間に間隔調整部材７１を設けたものである。
【００８２】
間隔調整部材７１は、一方の片（上片、水平片）７２と、一方の片に直交させて設けられた他方の片（垂直片）７３とからなるチャンネル材で構成されている。
【００８３】
分割コーナーピース５１Ｘの内側には、間隔調整部材７１の一方の端部を第１挿入平板部５２Ａおよび第２挿入平板部５２Ｂとで挟持する、Ｌ字状の挟持支持片７４Ａ（図示省略）が設けられている。
【００８４】
分割コーナーピース５１Ｙの内側には、間隔調整部材７１の他方の端部を第１挿入平板部５２Ａおよび第２挿入平板部５２Ｂとで挟持する、Ｌ字状の挟持支持片７４Ｂが設けられている。
【００８５】
このコーナーピース５１Ｂは、分割コーナーピース５１Ｘと分割コーナーピース５１Ｙとに挟持支持片７４Ａ，７４Ｂを用いて間隔調整部材７１を挟持させることにより、第１側板部５３Ａと、第２側板部５３Ｂとの間隔を調整する（拡げる）ことができる。
【００８６】
したがって、間隔調整部材７１の長さ（幅）を変化させることにより、幅の異なるフィルタに対応することができる。
【００８７】
このコーナーピース５１Ｂによれば、先の実施例のコーナーピース５１Ａと同様な効果が得られる。
【００８８】
図１０（ａ）はこの発明の第４実施例であるエアーフィルタで用いるコーナーピースの分解斜視図、図１０（ｂ）は図１０（ａ）の部材を組み立ててコーナーピースとした状態の斜視図である。
【００８９】
なお、図１０において、先の実施例と同一部分または相当部分に同一符号を付し、その説明を省略するが、先の実施例と同一部分または相当部分ではあるが、符号が付されていない部分がある。
【００９０】
図１０に示すコーナーピース５１Ｃは、先に示したコーナーピース５１を第１挿入側板部５３Ａと第２挿入側板部５３Ｂとの間の、第１挿入平板部５２Ａと第２挿入平板部５２Ｂの部分で分割して分割コーナーピース５１Ｘと、分割コーナーピース５１Ｙとにし、分割コーナーピース５１Ｘと分割コーナーピース５１Ｙとの間に間隔調整部材８１を設けたものである。
【００９１】
間隔調整部材８１は、一方の片（上片、水平片）８２と、一方の片に直交させて設けられた他方の片（垂直片）８３とからなるチャンネル材で構成されている。
【００９２】
そして、他方の片（垂直片）８３には、分割コーナーピース５１Ｘと対向する面に係止部８４が設けられ、分割コーナーピース５１Ｙと対向する面に係合部８５が設けられている。
【００９３】
分割コーナーピース５１Ｘの、間隔調整部材８１の他方の片（垂直片）８３と対向する面に、係止部８４に係合する係合部８６が設けられている。
【００９４】
分割コーナーピース５１Ｙの、間隔調整部材８１の他方の片（垂直片）８３と対向する面に、係合部８５が係合する係止部８７が設けられている。
【００９５】
このコーナーピース５１Ｃは、分割コーナーピース５１Ｘと分割コーナーピース５１Ｙとの間に、係止部８４，８７および係合部８５，８６を用いて間隔調整部材８１を挟持させる（挿入する）ことにより、第１側板部５３Ａと、第２側板部５３Ｂとの間隔を調整する（拡げる）ことができる。
【００９６】
したがって、間隔調整部材８１の長さ（幅）を変化させることにより、幅の異なるフィルタに対応することができる。
【００９７】
このコーナーピース５１Ｃによれば、先の実施例のコーナーピース５１Ａと同様な効果が得られる。
【００９８】
図１１はこの発明の第５実施例であるエアーフィルタの一部を破断した正面図、図１２は図１１に示したエアーフィルタで用いたコーナーピースの斜視図である。
【００９９】
なお、図１１および図１２において、先の実施例と同一部分または相当部分に同一符号を付し、その説明を省略するが、先の実施例と同一部分または相当部分ではあるが、符号が付されていない部分がある。
【０１００】
そして、図１１において、コーナーピースの部分にはハッチングが施されている。
【０１０１】
この発明の第５実施例であるエアーフィルタ１１Ａは、図１１に示すように、フィルタ２１と、フィルタ２１を収容する枠３１Ａとで構成されている。
【０１０２】
枠３１Ａは、上側に位置する枠体４１と、左右と下側とに位置するコ字状の枠体４１Ａと、枠体４１と枠体４１Ａとを連結するコーナーピース５１Ｄとで構成されている。
【０１０３】
枠体４１Ａは、枠体４１と同様な構成とされ、両端に、枠体４１に設けられている第１〜第４係止部４４Ａ〜４４Ｄ、第１〜第４案内部４５Ａ〜４５Ｄと同様な第１〜第４係止部４４Ａ〜４４Ｄ、第１〜第４案内部４５Ａ〜４５Ｄが設けられている。
【０１０４】
コーナーピース５１Ｄは、先に示したコーナーピース５１において、第１凹部５５Ａが設けられていない構成とされている。
【０１０５】
この実施例は、枠体４１の両端に、コーナーピース５１Ｄの第１挿入平板部５２Ａ側を挿入して取り付ける（接続する）と、枠体４１と、枠体４１に取り付けたコーナーピース５１とは嵌め殺しタイプ（取り外すことが不可能）となるが、枠体４１Ａに対して枠体４１が着脱可能である。
【０１０６】
この実施例においても、第１実施例と同様な効果が得られる。
【０１０７】
図１３はこの発明の第６実施例であるエアーフィルタで用いるコーナーピースの斜視図である。
【０１０８】
なお、図１３において、先の実施例と同一部分または相当部分に同一符号を付し、その説明を省略するが、先の実施例と同一部分または相当部分ではあるが、符号が付されていない部分がある。
【０１０９】
図１３に示すコーナーピース５１Ｅは、先に示したコーナーピース５１において、第１、第２凹部５５Ａ，５５Ｂが設けられていない構成とされている。
【０１１０】
このコーナーピース５１Ｅを用いた枠は、嵌め殺しタイプ（取り外すことが不可能）になる。
【０１１１】
この実施例においても、第１実施例と同様な効果が得られる。
【０１１２】
上記した実施例では、枠体４１，４１Ａに第１〜第４係止部４４Ａ〜４４Ｄを設け、コーナーピース５１，５１Ａ〜５１Ｅに第１〜第４係合部５８Ａ〜５８Ｄを設けた例を示したが、枠体に係止部を設け、コーナーピースに係止部を設けた構成であってもよい。
【０１１３】
また、枠体４１，４１Ａに第１〜第４案内部４５Ａ〜４５Ｄを設け、コーナーピース５１，５１Ａ〜５１Ｅに第１〜第４被案内部５６Ａ〜５６Ｄを設けた例を示したが、枠体に被案内部を設け、コーナーピースに案内部を設けた構成であってもよい。
【符号の説明】
【０１１４】
１１    エアーフィルタ
１１Ａ  エアーフィルタ
２１    フィルタ
３１    枠
３１Ａ  枠
４１    枠体
４１Ａ  枠体
４２    平板部
４３Ａ  第１側板部
４３Ｂ  第２側板部
４４Ａ  第１係止部
４４Ｂ  第２係止部
４４Ｃ  第３係止部
４４Ｄ  第４係止部
４５Ａ  第１案内部
４５Ｂ  第２案内部
４５Ｃ  第３案内部
４５Ｄ  第４案内部
５１    コーナーピース
５１Ａ〜５１Ｅ  コーナーピース
５１Ｘ  分割コーナーピース
５１Ｙ  分割コーナーピース
５２Ｂ  第２挿入平板部
５３Ａ  第１挿入側板部
５３Ｂ  第２挿入側板部
５４Ａ  第１凹部
５４Ｂ  第２凹部
５５Ａ  第１切り欠き部
５５Ｂ  第２切り欠き部
５６Ａ  第１被案内部
５６Ｂ  第２被案内部
５６Ｃ  第３被案内部
５６Ｄ  第４被案内部
５７Ａ  第１案内溝
５７Ｂ  第２案内溝
５７Ｃ  第３案内溝
５７Ｄ  第４案内溝
５８Ａ  第１係合部
５８Ｂ  第２係合部
５８Ｃ  第３係合部
５８Ｄ  第４係合部
６１    間隔調整機構
６２    チャンネル部材
６３    第１係合ピン
６４    第２係合ピン
６５    案内溝
６５Ａ〜６５Ｃ  溝
６５Ｄ  ロック部
６６Ａ〜６６Ｃ  ロック溝
７１    間隔調整部材
７２    一方の片（上片、水平片）
７３    他方の片（垂直片）
７４Ａ，７４Ｂ  挟持支持片
８１    間隔調整部材
８２    一方の片（上片、水平片）
８３    他方の片（垂直片）
８４，８７  係止部
８５，８６  係合部
【図１】
2014171921.tif 000003
【図２】
2014171921.tif 000004
【図３】
2014171921.tif 000005
【図４】
2014171921.tif 000006
【図５】
2014171921.tif 000007
【図６】
2014171921.tif 000008
【図７】
2014171921.tif 000009
【図８】
2014171921.tif 000010
【図９】
2014171921.tif 000011
【図１０】
2014171921.tif 000012
【図１１】
2014171921.tif 000013
【図１２】
2014171921.tif 000014
【図１３】
2014171921.tif 000015